(57)【要約】【課題】本発明は、ＴＮ型液晶及びバックライト用光源を用い、視認方向による色味変化が目立たない液晶表示装置、及びそのような液晶表示装置を用いた電子機器、液晶表示装置に用いる表示制御方法、表示制御プログラム、並びに非一時的記録媒体を提供することを目的とする。【解決手段】本発明の一の態様に係る液晶表示装置では、照射モードにおいて遮光領域は視認方向により色味が変化して見えるが、情報表示領域と背景領域とのうち面積が大きい方を透過領域とし、小さい方を遮光領域として設定するので、色味変化が生じる領域（遮光領域）が少なくなり、視認方向による色味変化を目立たなくすることができる。このような液晶表示装置は、ＴＮ型液晶を用いた液晶表示装置において追加の光学部材、光源等により構成が複雑化することなく簡易な構成により実現することができる。【選択図】図５
2020003825.tif 000002
【特許請求の範囲】
【請求項１】
ＴＮ型液晶を用いた半透過型の液晶表示パネルと、 
２以上の波長帯域の光を含むバックライトを照射する照射モード、または前記バックライトを照射しない非照射モードに設定されるバックライト部と、
前記バックライト及び外部入射光を遮る遮光領域と、前記バックライト及び前記外部入射光を透過させる透過領域と、のうち一方を情報表示領域とし、他方を背景領域とすることにより前記液晶表示パネルに情報を表示させる表示制御部であって、前記非照射モードでは前記情報表示領域と前記背景領域とのうち面積が大きい方を前記遮光領域とし、小さい方を前記透過領域として設定する第１の表示制御を行い、前記照射モードでは前記情報表示領域と前記背景領域とのうち面積が大きい方を前記透過領域とし、小さい方を前記遮光領域として設定する第２の表示制御を行う表示制御部と、
を備える液晶表示装置。
【請求項２】
前記液晶表示パネルは表面側及び裏面側に偏光板を有し、前記裏面側の偏光板は波長補償機能を有さない偏光板である請求項１に記載の液晶表示装置。
【請求項３】
前記バックライト部は前記バックライトの光源として白色ＬＥＤを備える請求項１または２に記載の液晶表示装置。
【請求項４】
前記遮光領域及び前記透過領域は前記液晶表示パネルのドットごとに独立して設定される請求項１から３のいずれか１項に記載の液晶表示装置。
【請求項５】
電子機器本体と、請求項１から４のいずれか１項に記載の液晶表示装置を備える電子機器であって、前記液晶表示装置は前記情報として前記電子機器本体の動作状態を示す動作状態情報を表示する電子機器。
【請求項６】
前記表示制御部は、前記液晶表示パネルの表示領域の一部に設定され前記動作状態を示す前記動作状態情報が表示される注目領域において前記第１の表示制御及び前記第２の表示制御を行う請求項５に記載の電子機器。
【請求項７】
ＴＮ型液晶を用いた半透過型の液晶表示パネルと、２以上の波長帯域の光を含むバックライトを照射する照射モードまたは前記バックライトを照射しない非照射モードに設定されるバックライト部と、を備える液晶表示装置の表示制御方法であって、
前記バックライト及び外部入射光を遮る遮光領域と、前記バックライト及び前記外部入射光を透過させる透過領域と、のうち一方を情報表示領域とし、他方を背景領域とすることにより前記液晶表示パネルに情報を表示させる表示制御工程であって、前記非照射モードでは前記情報表示領域と前記背景領域とのうち面積が大きい方を前記遮光領域とし、小さい方を前記透過領域として設定する第１の表示制御を行い、前記照射モードでは前記情報表示領域と前記背景領域とのうち面積が大きい方を前記透過領域とし、小さい方を前記遮光領域として設定する第２の表示制御を行う表示制御工程を有する表示制御方法。
【請求項８】
請求項７に記載の表示制御方法を前記液晶表示装置に実行させる表示制御プログラム。
【請求項９】
請求項８に記載の表示制御プログラムのコンピュータ読み取り可能なコードを記録した非一時的記録媒体。
【発明の詳細な説明】
【技術分野】
【０００１】
本発明は液晶表示装置、電子機器、表示制御方法、表示制御プログラム、及び非一時的記録媒体に関し、特にＴＮ型液晶表示パネル（ＴＮ：Twisted Nematic）及びバックライト用の光源を用いた液晶表示の視認性を向上させる技術に関する。
【背景技術】
【０００２】
液晶表示装置では、表示装置の構成及び観察時の条件等に依存して視認性が変化するため、各種の対策がなされている。例えば特許文献１には、照射角度範囲を切り替えられる光源装置において、点灯させるＬＥＤ（Light-Emitting Diode）の波長帯域を視野角に応じて切り替えると共に透明状態と散乱状態とを切り替える素子の状態を変化させることにより照射角度切替時の色味の変化を抑制する技術が記載されている。
【０００３】
また、特許文献２には反射光を用いてポジ表示を行うと共にバックライトユニットからの透過光を用いてネガ表示を行うＳＴＮ型（ＳＴＮ：Super Twisted Nematic）の液晶表示素子において、位相差板、偏光分離素子等の光学部材を使用することにより視認性が良好な表示を得る技術が記載されている。さらに、特許文献３にはバックライトユニットを用いネガ表示とポジ表示とが可能な半透過型の液晶表示装置において、λ／４板を用いてコントラストの低下を抑制する技術が記載されている。なお特許文献２，３において、「ポジ表示とは不印加時に白表示を行うことをいい、ネガ表示とは電圧印加時に黒表示を行うことをいう」旨が記載されている。
【先行技術文献】
【特許文献】
【０００４】
【特許文献１】特開２００７−０７９０９３号公報
【特許文献２】特開２００３−２２２８３３号公報
【特許文献３】特開２００７−  １１０４９号公報
【発明の概要】
【発明が解決しようとする課題】
【０００５】
透過型液晶あるいは半透過型液晶を用いた表示装置でバックライトを照射する場合、バックライトの透過波長特性が角度（視認方向）によって異なるため、液晶表示の色が角度によって変化して見える（色味変化）。特に遮光領域（黒領域）は透過波長特性の角度依存性が高いため、角度が変わると色が大きく変わって見える。このような色味変化の問題は、低電圧で駆動でき低コストであるため広く用いられているＴＮ型（ＴＮ：Twisted Nematic）の液晶表示素子において顕著である。以下、従来の技術におけるＴＮ型液晶表示素子の色味変化について説明する。
【０００６】
図１８の（ａ）部分はバックライト非照射時の液晶表示パネル（ＴＮ型液晶を使用しているものとする）を正面から視認した状態を示すものであり、情報（日付、ＩＳＯ：ＩＳＯ感度、ＳＳ：シャッタースピード、Ｆ：絞り値）を白色（透過領域）とし、背景を黒色（遮光領域）として表示している。一方、図１８の（ｂ）部分は同じ液晶表示パネルをバックライト照射時に正面から視認した状態を示すものであり、バックライトの影響により遮光領域である背景部分も色味が変化（バックライトの波長帯域等に依存するが、例えば青みがかった色）して見える。また、図１９に示すように、図１８の液晶表示パネル（図１８の（ｂ）部分の状態）をバックライト照射時に斜め方向から視認すると（図１９の（ａ）部分は左下方向から視認、（ｂ）部分は右下方向から視認）、バックライトの透過領域である文字部分では色味変化がほとんどないが、ＴＮ型液晶は視野角が非常に狭いため、視認方向が少し変わっただけで背景領域の色味が大きく変化して見える。
【０００７】
このような色味変化の問題に対し、上述した特許文献１に記載の技術では視野角に応じて複数種類の光源（白色ＬＥＤ、青色ＬＥＤ）を使用しさらに切替素子の制御を行うため、装置構成及び制御が複雑化してしまう。また特許文献２，３に記載の技術では位相差板、偏光分離素子等の光学部材の使用により構成が複雑化してしまい、また視認方向による色味変化にどのように対処するかについては記載されていない。 
【０００８】
このように、従来の技術では、液晶表示装置において視認方向による色味変化を目立たなくすることは困難であった。
【０００９】
本発明はこのような事情に鑑みてなされたもので、ＴＮ型液晶及びバックライト用光源を用い、視認方向による色味変化を目立たなくする液晶表示装置、及びそのような液晶表示装置の表示制御方法を提供することを目的とする。また、本発明はそのような表示制御方法を液晶表示装置に実行させる表示制御プログラム、及びその表示制御プログラムのコンピュータ読み取り可能なコードを記録した非一時的記録媒体を提供することを目的とする。
【課題を解決するための手段】
【００１０】
上述した目的を達成するため、本発明の第１の態様に係る液晶表示装置は、ＴＮ型液晶を用いた半透過型の液晶表示パネルと、２以上の波長帯域の光を含むバックライトを照射する照射モード、またはバックライトを照射しない非照射モードに設定されるバックライト部と、バックライト及び外部入射光を遮る遮光領域と、バックライト及び外部入射光を透過させる透過領域と、のうち一方を情報表示領域とし、他方を背景領域とすることにより液晶表示パネルに情報を表示させる表示制御部であって、非照射モードでは情報表示領域と背景領域とのうち面積が大きい方を遮光領域とし、小さい方を透過領域として設定する第１の表示制御を行い、照射モードでは情報表示領域と背景領域とのうち面積が大きい方を透過領域とし、小さい方を遮光領域として設定する第２の表示制御を行う表示制御部と、を備える。
【００１１】
照射モードにおいて遮光領域は視認方向により色味が変化して見えるが、第１の表示制御を行う非照射モードとは逆に情報表示領域と背景領域とのうち面積が大きい方を透過領域とし、小さい方を遮光領域として設定する（第２の表示制御）ので、色味変化が生じる領域（遮光領域）が少なくなり、視認方向による色味変化を目立たなくすることができる。また第１の態様は、ＴＮ型液晶を用いた液晶表示装置において追加の光学部材、光源等により構成が複雑化することなく簡易な構成により実現することができる。また、バックライトが２以上の波長帯域を含む光である場合、波長帯域によって透過率が異なり視認方向による色味変化が目立つが、第１の態様により色味変化を目立たなくすることができる。なお、非照射モードでは、バックライトを照射しないので液晶表示パネルへの外部入射光を遮光または透過する。
【００１２】
第１の態様において、液晶表示パネルが「半透過型」とは外部入射光の反射とバックライトの両方を光源として利用できることを意味する。また、情報表示領域には文字、数字、記号、図形等により情報を表示することができる。
【００１３】
第２の態様に係る液晶表示装置は第１の態様において、液晶表示パネルは表面側及び裏面側に偏光板を有し、裏面側の偏光板は波長補償機能を有さない偏光板である。第２の態様のように波長補償機能を有さない偏光板を用いる場合は視認方向による色味変化が生じるが、そのような場合でも本発明に係る液晶表示装置では色味変化を目立たなくすることができる。
【００１４】
第３の態様に係る液晶表示装置は第１または第２の態様において、バックライト部はバックライトの光源として白色ＬＥＤを備える。第３の態様のようにバックライトの光源として白色ＬＥＤを用いる場合、白色ＬＥＤは複数の波長帯域（広波長帯域）にわたる光を照射するため視認方向による色味変化が生じるが、本発明に係る液晶表示装置ではそのような場合でも視認方向による色味変化を目立たなくすることができる。また、バックライトの光源として白色ＬＥＤを用いることにより、照射モードにおいて透過領域に光源の色がついて見えるのを防ぐことができる。
【００１５】
第４の態様に係る液晶表示装置は第１から第３の態様のいずれか１つにおいて、遮光領域及び透過領域は液晶表示パネルのドットごとに独立して設定される。
【００１６】
上述した目的を達成するため、本発明の第５の態様に係る電子機器は、電子機器本体と、第１から第４の態様のいずれか１つに係る液晶表示装置を備える電子機器であって、液晶表示装置は情報として電子機器本体の動作状態を示す動作状態情報を表示する。第５の態様に係る電子機器は第１から第４の態様のいずれか１つに係る液晶表示装置を備え、この液晶表示装置には動作状態情報が表示されるので、動作状態情報を表示する際に視認方向による色味変化を目立たなくすることができる。ユーザは電子機器本体の動作状態を示す情報に注目することが多いため、液晶表示装置にそのような情報を表示する際に第５の態様により色味変化を目立たなくすると効果的である。
【００１７】
第６の態様に係る電子機器は第５の態様において、表示制御部は、液晶表示パネルの表示領域の一部に設定され動作状態を示す動作状態情報が表示される注目領域において第１の表示制御及び第２の表示制御を行う。動作状態情報は必ずしも液晶表示パネルの表示領域の全範囲にわたって表示されるものではないため、第６の態様では動作状態情報が表示されユーザの注目度が高くなる注目領域において第１，第２の表示制御を行うこととしている。
【００１８】
上述した目的を達成するため、本発明の第７の態様に係る表示制御方法は、ＴＮ型液晶を用いた半透過型の液晶表示パネルと、２以上の波長帯域の光を含むバックライトを照射する照射モードまたはバックライトを照射しない非照射モードに設定されるバックライト部と、を備える液晶表示装置の表示制御方法であって、バックライト及び外部入射光を遮る遮光領域と、バックライト及び外部入射光を透過させる透過領域と、のうち一方を情報表示領域とし、他方を背景領域とすることにより液晶表示パネルに情報を表示させる表示制御工程であって、非照射モードでは情報表示領域と背景領域とのうち面積が大きい方を遮光領域とし、小さい方を透過領域として設定する第１の表示制御を行い、照射モードでは情報表示領域と背景領域とのうち面積が大きい方を透過領域とし、小さい方を遮光領域として設定する第２の表示制御を行う表示制御工程を有する。第７の態様によれば、第１の態様と同様に、簡単な構成により視認方向による色味変化を目立たなくすることができる。第７の態様に係る表示制御方法は第２から第６の態様に係る液晶表示装置に適用することができ、また液晶表示装置を備える電子機器（例えば、第５，第６の態様に係る電子機器）に適用することもできる。
【００１９】
上述した目的を達成するため、本発明の第８の態様に係る表示制御プログラムは、第７の態様に係る表示制御方法を液晶表示装置に実行させる。また、第９の態様に係る非一時的記録媒体は、第８の態様に係る表示制御プログラムのコンピュータ読み取り可能なコードを記録する。第８，第９の態様によれば、第１，第７の態様と同様に、簡単な構成により視認方向による色味変化を目立たなくすることができる。
【発明の効果】
【００２０】
以上説明したように、本発明の液晶表示装置、電子機器、表示制御方法、表示制御プログラム、及び非一時的記録媒体によれば、視認方向による色味変化を目立たなくすることができる。
【図面の簡単な説明】
【００２１】
【図１】図１は、本発明の第１の実施形態に係る撮像装置の構成を示す図である。
【図２】図２は、撮像装置の上面図である。
【図３】図３は、撮像装置の構成を示すブロック図である。
【図４】図４は、液晶表示装置の構成を示す図である。
【図５】図５は、第１の実施形態に係る表示制御の処理を示すフローチャートである。
【図６】図６は、第１の表示制御の処理を示すフローチャートである。
【図７】図７は、第２の表示制御の処理を示すフローチャートである。
【図８】図８は、液晶表示装置に表示される情報の例を示す図である。
【図９】図９は、バックライト非照射時及び照射時における表示の様子を示す図である。
【図１０】図１０は、視認方向による色味変化の様子を示す図である。
【図１１】図１１は、バックライト非照射時及び照射時における表示の様子を示す他の図である。
【図１２】図１２は、注目領域が設定された様子を示す図である。
【図１３】図１３は、注目領域が設定された態様での表示制御の様子を示す図である。
【図１４】図１４は、視認方向による色味変化の様子を示す図である。
【図１５】図１５は、遮光領域の面積比率と色味変化量との関係を示す図である。
【図１６】図１６は、ヒステリシスを考慮した表示制御を説明するための図である。
【図１７】図１７は、ヒステリシスを考慮した表示制御を説明するための他の図である。
【図１８】図１８は、従来の技術による表示制御を説明するための図である。
【図１９】図１９は、従来の技術による表示制御を説明するための他の図である。
【発明を実施するための形態】
【００２２】
以下、添付図面を参照しつつ、本発明に係る液晶表示装置、電子機器、表示制御方法、表示制御プログラム、及び非一時的記録媒体の実施形態について、詳細に説明する。
【００２３】
＜第１の実施形態＞
＜撮像装置の構成＞
図１は、本発明の第１の実施形態に係る撮像装置１００（電子機器、電子機器本体）の外観を示す斜視図である。撮像装置１００は、撮像装置本体２００（電子機器本体）と、撮像装置本体２００に装着されるレンズ装置３００（電子機器本体）と、から構成される。撮像装置本体２００とレンズ装置３００とは、撮像装置本体２００に備えられたマウント２４６と、マウント２４６に対応するレンズ装置３００側のマウント３４６（図３参照）と、が結合されることにより装着され、またこの結合を解除することにより取り外しされる。また撮像装置本体２００の前面にはマウント２４６の他、フラッシュ２４０が設けられており、上面にはレリーズボタン２２０−１、撮影モード設定用のダイヤル２２０−２、及び天面モニタ２１３（液晶表示装置）が設けられている（図２参照）。
【００２４】
図３は撮像装置１００の構成を示すブロック図である。撮像装置１００の動作は、撮像装置本体２００のメインＣＰＵ２１４（ＣＰＵ：Central Processing Unit）及びレンズ装置３００のレンズＣＰＵ３４０によって統括制御されている。メインＣＰＵ２１４の動作に必要なプログラム及びデータは撮像装置本体２００内のフラッシュＲＯＭ２２６（Flash ROM）及びＲＯＭ２２８（ＲＯＭ：Read Only Memory）に記憶されており、本発明に係る表示制御プログラム（液晶表示装置２６０に本発明に係る表示制御方法を実行させる表示制御プログラム）は、コンピュータ（メインＣＰＵ２１４、表示制御部２１０）により読み取り可能なコードとしてＲＯＭ２２８に記録される。したがってＲＯＭ２２８は本発明に係る非一時的記録媒体の一例であるが、本発明に係る非一時的記録媒体としてはこの他にハードディスク、ＤＶＤ（Digital Versatile Disk）等の光磁気記録装置、あるいは各種半導体メモリ等の記録媒体を用いることができる。なお、レンズＣＰＵ３４０の動作に必要なプログラム及びデータはレンズＣＰＵ３４０内のＲＯＭ３４４に記憶されている。
【００２５】
撮像装置本体２００には、レリーズボタン２２０−１及びダイヤル２２０−２の他、再生ボタン、ＭＥＮＵ／ＯＫキー、十字キー、ＢＡＣＫキー等を含む操作部２２０が設けられており、ユーザは操作部２２０に含まれるボタン及び／またはキーを操作することにより、撮影モードまたは再生モードの選択、撮影開始、画像の選択、再生、消去、及びズーム指示等の指示を行うことができる。また、ユーザはこれらボタン及び／またはキーの操作により、バックライトを照射する照射モードとバックライトを照射しない非照射モードとを切り替えることができる。操作部２２０からの信号はメインＣＰＵ２１４に入力され、メインＣＰＵ２１４は入力信号に基づいて撮像装置本体２００の各回路を制御すると共に、マウント２４６及びマウント通信部２５０を介してレンズ装置３００との間で信号を送受信する。
【００２６】
マウント２４６には端子２４７が設けられており、マウント３４６には端子３４７が設けられていて、レンズ装置３００を撮像装置本体２００に装着すると、対応する端子２４７と端子３４７とが接触して通信が可能となる（なお、図１及び図３における端子２４７、端子３４７は概念的に示したものであり、撮像装置１００における端子の位置及び個数はこれらの図におけるものに限定されるものではない）。
【００２７】
上述した端子には例えば接地用端子、同期信号用端子、シリアル通信用端子、制御ステータス通信用端子、及び撮像装置本体２００のバッテリ２４２からレンズ装置３００の各部への電源供給用端子が含まれる。バッテリ２４２からの電源供給は、電源制御部２４４の制御により行われる。
【００２８】
撮影モードにおいて、被写体光はレンズ装置３００のズームレンズＺＬ、フォーカスレンズＦＬ、及び絞りＩを介して、撮像装置本体２００の撮像素子２０２の受光面に結像される。第１の実施形態では撮像素子２０２はＣＭＯＳ（Complementary Metal-Oxide Semiconductor）型とするが、ＣＭＯＳ型に限らずＣＣＤ（Charge Coupled Device）型であってもよい。フォーカスレンズＦＬ、ズームレンズＺＬ、及び絞りＩは、レンズＣＰＵ３４０によって制御されるズームレンズ制御部３１０、フォーカスレンズ制御部３２０、絞り制御部３３０によって駆動されて、フォーカス制御、ズーム制御、及び絞り制御が行われる。
【００２９】
ズームレンズ制御部３１０は、レンズＣＰＵ３４０からの指令に従い、ズームレンズＺＬを光軸方向に移動させて撮影倍率を変化させる。また、フォーカスレンズ制御部３２０は、レンズＣＰＵ３４０からの指令に従いフォーカスレンズＦＬを光軸方向に進退動作させて被写体に合焦させる。絞り制御部３３０は、レンズＣＰＵ３４０からの指令に従い絞りＩの絞り値を変更する。
【００３０】
レリーズボタン２２０−１の第１段階の押下（ストロークの途中まで押し込む操作；「半押し」ともいう）があると、メインＣＰＵ２１４はＡＦ（Auto Focus）及びＡＥ（Auto Exposure）動作を開始させ、これに応じてＡ／Ｄ変換器２０４（Ａ／Ｄ：Analog to Digital）から出力される画像データがＡＥ／ＡＷＢ検出部２２４（ＡＥ：Automatic Exposure、ＡＷＢ：Automatic White Balance）に取り込まれる。メインＣＰＵ２１４は、ＡＥ／ＡＷＢ検出部２２４に入力されたＧ信号（緑色のカラーフィルタが配設された画素の信号）の積算値より被写体の明るさ（撮影Ｅｖ値、Ｅｖ：Exposure Value）を算出し、その結果に基づいて絞りＩの絞り値、撮像素子２０２での電荷蓄積時間（シャッタースピードに相当）、及びフラッシュ２４０の発光時間等を制御する。
【００３１】
ＡＦ検出部２２２は、コントラストＡＦ処理または位相差ＡＦ処理を行う部分である。コントラストＡＦ処理を行う場合には、フォーカス領域内の画像データの高周波成分を積分して算出した、合焦状態を示すＡＦ評価値が極大となるようにレンズ鏡筒内のフォーカスレンズＦＬを制御する。また、位相差ＡＦ処理を行う場合には、画像データのうちのフォーカス領域内の複数の位相差を持った画素を用いて算出した位相差データから求めたデフォーカス量が０になるように、レンズ装置３００内のフォーカスレンズＦＬを制御する。 
【００３２】
ＡＥ動作及びＡＦ動作が終了し、レリーズボタン２２０−１の第２段階の押下（全ストローク押し込む操作；「全押し」ともいう）があると、フラッシュ制御部２３８を介した制御によりフラッシュ２４０が発光する。また撮像素子制御部２０１から加えられる読み出し信号に基づいて、撮像素子２０２に蓄積された信号電荷が信号電荷に応じた電圧信号として読み出され、アナログ信号処理部２０３に加えられる。アナログ信号処理部２０３は、撮像素子２０２から出力された電圧信号に対して相関二重サンプリング処理により各画素のＲ信号、Ｇ信号、及びＢ信号をサンプリングホールド及び増幅してＡ／Ｄ変換器２０４に加える。Ａ／Ｄ変換器２０４は、順次入力されるアナログのＲ信号、Ｇ信号、及びＢ信号（それぞれ赤色、緑色、青色のカラーフィルタが配設された画素の信号）をデジタルのＲ信号、Ｇ信号、及びＢ信号に変換して画像入力コントローラ２０５に出力する。なお、撮像素子２０２がＭＯＳ（Metal Oxide Semiconductor）型撮像素子である場合は、Ａ／Ｄ変換器２０４は撮像素子２０２内に内蔵されていることが多く、また上述した相関二重サンプリングは必要としない。
【００３３】
画像入力コントローラ２０５から出力された画像データはデジタル信号処理部２０６に入力されてオフセット処理、ホワイトバランス補正及び感度補正を含むゲインコントロール処理、ガンマ補正処理、ＹＣ処理（輝度信号及び色差信号の処理）等の信号処理が行われ、ＶＲＡＭ２３０（Video RAM）への書き込み及び／または読み出しを経て表示制御部２１０でエンコーディングされて背面モニタ２１２に出力され、これにより被写体像が背面モニタ２１２に表示される。
【００３４】
また、レリーズボタン２２０−１の全押しに応答してＡ／Ｄ変換器２０４から出力される画像データが画像入力コントローラ２０５からＳＤＲＡＭ２３２（SDRAM：Synchronous Dynamic Random Access Memory）に入力され、一時的に記憶される。ＳＤＲＡＭ２３２への一時記憶後、デジタル信号処理部２０６におけるゲインコントロール処理、ガンマ補正処理、ＹＣ処理等の信号処理、圧縮／伸張処理部２０８でのＪＰＥＧ（Joint Photographic Experts Group）形式への圧縮処理等を経て画像ファイルが生成され、その画像ファイルは、メディア制御部２３４により読み出されてメモリカード２３６に記録される。メモリカード２３６に記録された画像は、操作部２２０の再生ボタンを操作することにより背面モニタ２１２により再生表示することができる。一方、天面モニタ２１３は、表示制御部２１０（液晶表示装置、表示制御部）の制御により撮像装置１００の動作状態、撮影条件等の情報を表示する。表示制御部２１０及び天面モニタ２１３は第１の実施形態に係る液晶表示装置２６０（液晶表示装置）を構成する。
【００３５】
＜天面モニタの構成＞
図４は天面モニタ２１３の概略構成を示す図である。天面モニタ２１３は、液晶セル２７２と、透過側偏光板２７４（偏光板）と、反射側偏光板２７６（偏光板）と、バックライト部２８０（バックライト部）とを備える。液晶セル２７２、透過側偏光板２７４、反射側偏光板２７６は第１の実施形態に係る液晶表示パネル２７０（液晶表示パネル）の構成要素である。液晶セル２７２はＴＮ型液晶（ＴＮ：Twisted Nematic）を用いており、図示せぬ電極等により電圧を印加または不印加してドットごとに独立して遮光領域及び透過領域を設定し、上述した情報を表示する（表示制御の詳細は後述する）。液晶セル２７２の表面側（視認側）に設けられた透過側偏光板２７４は波長補償機能を有し、裏面側（視認側と反対側）に設けられた反射側偏光板２７６は波長補償機能を有さない。外部入射光は反射側偏光板２７６で反射される。バックライト部２８０は、バックライトの光源としての白色ＬＥＤ２８０Ａ（白色ＬＥＤ）と、白色ＬＥＤ２８０Ａから照射されたバックライト（２以上の波長帯域の光を含む）を液晶表示パネル２７０に導く導光板２８０Ｂと、を備え、表示制御部２１０の制御によりバックライトを照射する照射モードまたはバックライトを照射しない非照射モードに設定される（バックライトの照射、非照射の切り替えは、操作部２２０を介したユーザの指示入力に基づいて表示制御部２１０が行うことができる）。即ち、液晶表示パネル２７０は外光の反射とバックライトの両方を光源として利用できる半透過型の液晶表示パネルである。また、液晶表示パネル２７０は、いわゆるノーマリーホワイト型の液晶表示パネルとすることができるが、本発明はノーマリーブラック型の液晶表示パネルにも適用することができる。
【００３６】
＜表示制御部のハードウェア的構造＞
第１の実施形態において、表示制御部２１０における各種の処理（表示制御工程における第１の表示制御、第２の表示制御、バックライトの照射と非照射との切替制御等）を実行するためのハードウェア的な構造として、以下に示すような各種のプロセッサ（processor）を採用することができる。各種のプロセッサには、ソフトウェア（プログラム）により各種の処理を実行する汎用的なプロセッサであるＣＰＵ（Central Processing Unit）、ＦＰＧＡ（Field Programmable Gate Array）などの製造後に回路構成を変更可能なプロセッサであるプログラマブルロジックデバイス（Programmable Logic Device：ＰＬＤ）、ＡＳＩＣ（Application Specific Integrated Circuit）などの特定の処理を実行させるために専用に設計された回路構成を有するプロセッサである専用電気回路などが含まれる。
【００３７】
表示制御部２１０の機能はこれら各種のプロセッサのうちの１つで実現されてもよいし、同種または異種の２つ以上のプロセッサ（例えば、複数のＦＰＧＡ、あるいはＣＰＵとＦＰＧＡの組み合わせ）で実現されてもよい。また、複数の機能を１つのプロセッサで実現してもよい。複数の機能を１つのプロセッサで実現する例としては、第１に、クライアント及びサーバなどのコンピュータに代表されるように、１つ以上のＣＰＵとソフトウェアの組合せで１つのプロセッサを構成し、このプロセッサが複数の機能を実現する形態がある。第２に、システムオンチップ（System On Chip：ＳｏＣ）などに代表されるように、複数の機能を含むシステム全体の機能を１つのＩＣ（Integrated Circuit）チップで実現するプロセッサを使用する形態がある。このように、各種の機能は上述した各種のプロセッサを１つ以上用いてハードウェア的な構造として実現される。さらに、これら各種のプロセッサのハードウェア的な構造は、より具体的には、半導体素子などの回路素子を組み合わせた電気回路（circuitry）である。
【００３８】
表示制御部２１０では、このような構成のプロセッサ、電気回路がフラッシュＲＯＭ２２６及びＲＯＭ２２８に記憶されたプログラム（表示制御プログラム）、データを参照して各種の処理（表示制御方法の各工程）を行う。処理の際の一時記憶領域あるいは作業領域として、必要に応じＶＲＡＭ２３０及び／またはＳＤＲＡＭ２３２が用いられる。
【００３９】
＜表示制御の処理＞ 
次に、上述した構成の撮像装置１００における表示制御について説明する。図５は表示制御の処理（表示制御方法）を示すフローチャートである。なお以下の例では、撮像装置１００（撮像装置本体２００、レンズ装置３００）の動作状態を示す動作状態情報として、図８に示す日付及び撮影条件を天面モニタ２１３に表示するものとする。具体的には、日付が２０１７/１／１Ｓｕｎ（2017年1月1日、日曜日）、ＩＳＯ感度（ＩＳＯ：International Organization for Standardization）が２００、シャッタースピードＳＳが１／６０秒、絞り値Ｆが１．４である。
【００４０】
表示制御の処理が開始されると、ステップＳ１０で画面デザイン情報（例えば、情報表示領域及び背景領域の数、位置、形状、配置、及び白地に黒表示か黒地に白表示か）を取得する。画面デザイン情報は表示制御部２１０がフラッシュＲＯＭ２２６及び／またはＲＯＭ２２８から読み出して取得してもよいし、表示制御部２１０が操作部２２０を介したユーザの指示入力により取得してもよい。ここでは、日付と動作状態情報とで表示領域を分けず表示パターン（遮光領域をベースに透過領域を配置するか、その逆か）も変えないものとする。画面デザイン情報を取得すると、ステップＳ１２で表示制御部２１０が撮像装置１００の各部から動作状態情報を取得する。動作状態情報は撮像装置１００（撮像装置本体２００及びレンズ装置３００）の動作状態を示す情報であり、第１の実施形態では上述した撮影条件を動作状態情報として取得する。画面デザイン及び動作状態情報を取得すると、画面デザイン及び動作状態情報に基づいて情報表示領域及び背景領域の位置、数、配置等を設定する（ステップＳ１４）。なお、以下の説明において「白」とは、バックライト、及び／または反射側偏光板２７６で反射した外部入射光が透過する状態における液晶表示パネル２７０の色を意味し、「黒」とはこれらの光が遮光される状態における液晶表示パネル２７０の色を意味するものとする。
【００４１】
ステップＳ１６では、非照射モードか否か（バックライトを照射しないか、照射するか）を判断する。この判断は、例えば操作部２２０を介したユーザの指示入力に基づいて表示制御部２１０が行うことができる。判断が肯定された場合（非照射モードである場合）はステップＳ１８へ進んで第１の表示制御を行い、判断が否定された場合（照射モードである場合）はステップＳ２０へ進んで第２の表示制御を行って、第１または第２の表示制御の結果により情報（上述した日付及び撮影条件）を表示する（ステップＳ２２；表示制御工程）。
【００４２】
図６は第１の表示制御（非照射モードでの表示制御；表示制御工程）の処理を示すフローチャートである。第１の表示制御では、情報表示領域と背景領域とのうちいずれの面積が大きいか（情報表示領域の面積が背景領域の面積よりも大きいか否か）を判断し（ステップＳ３０）、判断が肯定されたらステップＳ３２に進んで面積が大きい情報表示領域を遮光領域、面積が小さい背景領域を透過領域とする（白地に黒表示）。一方、ステップＳ３０の判断が否定されたらステップＳ３４に進み、面積が小さい情報表示領域を透過領域、面積が大きい背景領域を遮光領域とする（黒地に白表示）。
【００４３】
一方、図７は第２の表示制御（照射モードでの表示制御；表示制御工程）の処理を示すフローチャートである。第２の表示制御では、情報表示領域と背景領域とのうちいずれの面積が大きいか（情報表示領域の面積が背景領域の面積よりも大きいか否か）を判断し（ステップＳ４０）、判断が肯定されたらステップＳ４２に進んで面積が大きい情報表示領域を透過領域、面積が小さい背景領域を遮光領域とする（黒地に白表示）。一方、ステップＳ４０の判断が否定されたらステップＳ４４に進み、面積が小さい情報表示領域を遮光領域、面積が大きい背景領域を透過領域とする（白地に黒表示）。
【００４４】
図８の例では情報表示領域の面積が背景領域の面積よりも小さいので、非照射モードでは第１の表示制御（図６参照）により面積が大きい背景領域が遮光領域（図９の（ａ）部分における黒表示部分）となり、面積が小さい情報表示領域が透過領域（図９の（ａ）部分における白表示部分）となる。一方、照射モードでは第２の表示制御（図７参照）により面積が大きい背景領域を透過領域（図９の（ｂ）部分における白表示部分）とし、面積が小さい情報表示領域を遮光領域（図９の（ｂ）部分において黒表示部分）とする（ステップＳ４０，Ｓ４４）。このような表示制御により、照射モードでの角度（視認方向）による色味変化は図１０（（ａ）部分は左下方向から視認した状態、（ｂ）部分は右下方向から視認した状態；色味の相違を網掛けの相違で表す）のようになる。したがって照射モードにおいて視認方向による色味変化自体はあるが、上述した第２の表示制御により面積が小さい情報表示領域（文字部分）を遮光領域としており面積が大きい背景領域は白色光が透過しているため、色味の変化が目立たない。このような効果を、追加の光学部材等を用いず簡単な構成により得ることができる。
【００４５】
なお、上述した第１，第２の表示制御では情報表示領域が遮光領域になり背景領域が透過領域になる場合もあるし、逆に情報表示領域が透過領域になり背景領域が遮光領域になる場合もある。
【００４６】
動作状態情報等の情報は、図９，１０のように文字及び数字により表示するのではなく、図形、記号、グラフ等により表示してもよい。図１１は撮影画像のヒストグラムの例を示す図であり、横軸は撮影画像の明度、縦軸は画素数を示す。図１１の例では情報表示領域（ヒストグラムを表す曲線Ｃ１の下側）の面積が背景領域（曲線Ｃ１の上側）の面積よりも大きいので、非照射モードでは第１の表示制御により面積が大きい情報表示領域を遮光領域とし、面積が小さい背景領域を透過領域とする（図１１の（ａ）部分；白地に黒表示）。一方、照射モードでは非照射モードとは逆に面積が大きい情報表示領域を透過領域とし、面積が小さい背景領域を遮光領域とする（図１１の（ｂ）部分；黒地に白表示）。このような表示制御によっても、図８〜１０について上述したのと同様に照射モード（図１１の（ｂ）部分）において視認方向による色味変化自体はあるが、面積が小さい背景領域を遮光領域としているので色味の変化が目立たない。
【００４７】
＜注目領域における表示制御の例＞
図８〜１０に示す例では日付と撮影条件（動作状態情報）とで表示領域を分けず表示パターンも変えない場合について説明したが、日付と撮影条件とで表示領域を分け表示パターンを変えてもよい。例えば、図１２に示すように表示領域の一部に動作状態情報としての撮影条件を表示する注目領域ＲＯＩを設け、注目領域ＲＯＩ以外の領域に日付（動作状態情報ではない情報）を表示する。そして注目領域ＲＯＩとそれ以外の領域とで表示パターン（例えば、情報表示領域と背景領域とのうちいずれを透過領域としいずれを遮光領域とするか、すなわち黒地に白表示とするか白地に黒表示とするか）を変える。例えば、注目領域ではバックライト非照射時に文字部分（情報表示領域）を透過領域とし、背景部分（背景領域）を遮光領域として表示し（黒地に白表示）、注目領域以外の領域では文字部分を遮光領域とし、背景部分を透過領域として表示する（白地に黒表示）。このように、表示領域を注目領域とそれ以外とに分け表示パターンを変えることにより、撮影中に内容が変化しユーザの注目が高い情報（撮影条件）が容易に視認できるようになる。
【００４８】
上述した注目領域を設ける場合、注目領域における情報表示領域の比率に応じて第１、第２の表示制御を行うことができる。例えば、図１３では注目領域ＲＯＩにおいて情報表示領域（動作状態情報としての撮影条件が表示される；白部分）の面積よりも背景領域（黒部分）の面積の方が大きいので、注目領域ＲＯＩにおいて第１，第２の表示制御が行われる。具体的には、バックライト非照射時は注目領域ＲＯＩにおいて第１の表示制御が行われて図１３の（ａ）部分に示す表示状態になり、バックライト照射時は第２の表示制御が行われて図１３の（ｂ）部分に示す表示状態になる。したがってバックライト照射時の視認方向による色味変化の様子は図１４（（ａ）部分は左下から見た状態、（ｂ）部分は右下から見た状態；色味の相違を網掛け状態の相違で表す）のようになり、視認方向による色味変化を目立たなくすることができる。
【００４９】
＜色味変化の許容値に応じたしきい値の設定＞ 
上述した構成の撮像装置１００において、以下の例のように色味変化の許容値を考慮してしきい値を設定し、設定したしきい値に基づいて表示制御を行ってもよい。
【００５０】
図１５はバックライト照射時における遮光領域の面積比率Ｓｂと色味変化量との関係を示す概念図である。図１５における「遮光領域の面積比率Ｓｂ」は、「バックライト照射時において、情報表示領域と背景領域とのうち面積が大きい方が表示領域全体（または注目領域）において占める比率」として上述した「情報表示領域が占める比率」と対応付けることができる。また、色味変化量は例えば特定の人数に対する官能評価において「色味が変化した」と感じる人の割合を数値化することにより得られ、色味変化量が許容値ＭＡＸを超える面積比率を遮光領域に対するしきい値とすることができる。
【００５１】
しきい値が設定されたら、遮光領域の比率が設定されたしきい値を超えないように、情報表示領域と背景領域とのうちいずれを遮光領域としいずれを透過領域とするかを決定する（第３の表示制御）。例えば、情報表示領域と背景領域とのうち面積が大きい方の比率がしきい値より高い場合は、面積が大きい方を透過領域とし、小さい方を遮光領域とする（第３の表示制御）。面積が大きい方の比率がしきい値以下ならどちらの領域を遮光領域としてもよいが、例えば面積が大きい方を透過領域とし小さい方を遮光領域とすることができる。この場合、バックライト非照射時の画面デザイン（白黒表示のパターン）が維持されるように透過領域及び遮光領域を設定してもよい。
【００５２】
なお、許容値及びしきい値は、複数の画面デザイン（例えば、情報表示領域の数、位置、形状のうち少なくとも一つが異なる複数の画面デザイン）でそれぞれ異なっていてもよい。例えば図１５では、デザイン１ではしきい値ＴＨ１，デザイン２ではしきい値ＴＨ２（デザイン１，２で色味変化の許容値ＭＡＸは同じであるとする）である。なお、デザインによってはユーザが注目する面積領域が表示領域全体でない場合があるので、上述した注目領域のように表示領域の一部に対してしきい値を設定してもよい。しきい値の数値は操作部２２０を介したユーザの指示入力（直接入力、選択等）により設定してもよいし、フラッシュＲＯＭ２２６、ＲＯＭ２２８、表示制御部２１０等に画面デザインとしきい値とを関連づけて記憶しておき、画面デザインに応じてしきい値を設定してもよい。
【００５３】
＜ヒステリシスを考慮した表示制御＞
動作状態情報等の情報は撮像装置１００の使用中に変化するので、遮光領域の占める比率がしきい値より高くなる場合も低くなる場合もあり得る。このような状況において、比率としきい値との関係（比率がしきい値より高いか低いか）が変化するごとに表示を切り替えてもよいが、撮像装置１００の使用状況（表示させる情報の種類、撮影条件の設定等）によっては表示パターンが頻繁に変化して表示が見づらくなる可能性がある。そこで、以下に説明するように遮光領域が占める比率のヒステリシス（履歴）を考慮した表示制御を行うことができる。
【００５４】
図１６，１７に示す例では面積比率Ｓｂのしきい値Ｘに上限値（Ｘ＋α）及び下限値（Ｘ−α）を設定しており、照射モードにおいて面積比率Ｓｂが下限値（Ｘ−α）よりも小さい状態（Ｓｂ＜（Ｘ−α））から大きくなって（例えば、単調増加して）上限値（Ｘ＋α）を超える（Ｓｂ＞（Ｘ＋α））と表示を反転する（白地に黒表示から黒地に白表示へ；第４の表示制御）。図１７では、時刻ｔ１，ｔ３における変化がこのようなケースに該当する。同様に、面積比率Ｓｂが上限値（Ｘ＋α）よりも大きい状態（Ｓｂ＞（Ｘ＋α））から小さくなって（例えば、単調減少して）下限値（Ｘ−α）を下回る（Ｓｂ＜（Ｘ−α））と表示を反転する（黒地に白表示から白地に黒表示へ；第５の表示制御）。図１７の例では、時刻ｔ２における変化がこのようなケースに該当する。これらの条件を満たさない場合（例えば、時刻ｔ４，ｔ５における変化）は、面積比率Ｓｂとしきい値との関係が変化しても表示を切り換えない。このような表示制御により、視認方向による色味変化を目立たなくしつつ、表示パターンの頻繁な変化を抑制して見やすい表示にすることができる。
【００５５】
＜本発明の他の態様＞
上述した第１から第９の態様に加え、以下に説明する第１０から第１６の態様も本発明に含まれる。なお第１０から第１６の態様において、第１から第９の態様と同様の記載は同様の構成を意味するものとする。
【００５６】
＜第１０の態様＞
第１０の態様に係る液晶表示装置は、ＴＮ型液晶を用いた半透過型の液晶表示パネルと、２以上の波長帯域の光を含むバックライトを照射する照射モード、またはバックライトを照射しない非照射モードに設定されるバックライト部と、バックライト及び外部入射光を遮る遮光領域と、バックライト及び外部入射光を透過させる透過領域と、のうち一方を情報表示領域とし、他方を背景領域とすることにより液晶表示パネルに情報を表示させる表示制御部であって、非照射モードでは情報表示領域と背景領域とのうち面積が大きい方を遮光領域とし、小さい方を透過領域として設定する第１の表示制御を行い、照射モードでは、情報表示領域と背景領域とのうち面積が大きい方が液晶表示パネルの総表示領域に占める比率がしきい値よりも高い場合は、面積が大きい方を透過領域とし、面積が小さい方を遮光領域として設定する第３の表示制御を行う表示制御部と、を備える。
【００５７】
＜第１１の態様＞
第１１の態様は第１０の態様において、表示制御部は、液晶表示パネルにおける情報表示領域の数、位置、及び形状のうち少なくとも１つが異なる複数の表示態様のそれぞれに対して異なるしきい値を設定する。
【００５８】
＜第１２の態様＞
第１２の態様は、電子機器本体と、第１０または第１１の態様に係る液晶表示装置を備える電子機器であって、液晶表示装置は情報として電子機器本体の動作状態を示す動作状態情報を表示する。
【００５９】
＜第１３の態様＞
第１３の態様は第１２の態様において、表示制御部は、液晶表示パネルの表示領域の一部に設定され動作状態を示す動作状態情報が表示される注目領域において第１の表示制御及び第３の表示制御を行う。
【００６０】
＜第１４の態様＞
第１４の態様に係る表示制御方法は、ＴＮ型液晶を用いた半透過型の液晶表示パネルと、２以上の波長帯域の光を含むバックライトを照射する照射モード、またはバックライトを照射しない非照射モードに設定されるバックライト部と、を備える液晶表示装置の表示制御方法であって、バックライト及び外部入射光を遮る遮光領域と、バックライト及び外部入射光を透過させる透過領域と、のうち一方を情報表示領域とし、他方を背景領域とすることにより液晶表示パネルに情報を表示させる表示制御部であって、非照射モードでは情報表示領域と背景領域とのうち面積が大きい方を遮光領域とし、小さい方を透過領域として設定する第１の表示制御を行い、照射モードでは、情報表示領域と背景領域とのうち面積が大きい方が液晶表示パネルの総表示領域に占める比率がしきい値よりも高い場合は、面積が大きい方を透過領域とし、面積が小さい方を遮光領域として設定する第３の表示制御を行う表示制御工程を有する。
【００６１】
＜第１５，第１６の態様＞
第１５の態様に係る表示制御プログラムは、第１４の態様に係る表示制御方法を液晶表示装置に実行させる。第１６の態様に係る非一時的記録媒体は、第１５の態様に係る表示制御プログラムのコンピュータ読み取り可能なコードが記録された非一時的記録媒体である。
【００６２】
以上で本発明の各態様に関して説明してきたが、本発明は上述した態様に限定されず、本発明の精神を逸脱しない範囲で種々の変形が可能である。例えば、上述した撮像装置１００ではバックライトの光源として白色ＬＥＤ２８０Ａを用いる場合について説明したが、本発明は白色ＬＥＤに限らず２つ以上の波長帯域（例えば、赤色波長帯域と青色波長帯域）の光を照射する光源に対し適用することができる。このような光源では同じ角度（視認方向）でも波長により透過特性が異なり、その結果色味が変化して見えるが、本発明に係る表示制御により色味変化を目立たなくすることができる。
【符号の説明】
【００６３】
１００    撮像装置
２００    撮像装置本体
２０１    撮像素子制御部
２０２    撮像素子
２０３    アナログ信号処理部
２０４    Ａ／Ｄ変換器
２０５    画像入力コントローラ
２０６    デジタル信号処理部
２０８    圧縮／伸張処理部
２１０    表示制御部
２１２    背面モニタ
２１３    天面モニタ
２１４    メインＣＰＵ
２２０    操作部
２２０−１  レリーズボタン
２２０−２  ダイヤル
２２２    ＡＦ検出部
２２４    ＡＥ／ＡＷＢ検出部
２２６    フラッシュＲＯＭ
２２８    ＲＯＭ 
２３０    ＶＲＡＭ 
２３２    ＳＤＲＡＭ
２３４    メディア制御部
２３６    メモリカード
２３８    フラッシュ制御部
２４０    フラッシュ
２４２    バッテリ
２４４    電源制御部
２４６    マウント 
２４７    端子
２５０    マウント通信部
２６０    液晶表示装置
２７０    液晶表示パネル
２７２    液晶セル
２７４    透過側偏光板
２７６    反射側偏光板
２８０    バックライト部
２８０Ａ  白色ＬＥＤ
２８０Ｂ  導光板
３００    レンズ装置
３１０    ズームレンズ制御部
３２０    フォーカスレンズ制御部
３３０    絞り制御部
３４０    レンズＣＰＵ
３４４    ＲＯＭ
３４６    マウント
３４７    端子
Ｆ        絞り値
ＦＬ      フォーカスレンズ
Ｉ        絞り
ＭＡＸ    許容値
ＲＯＩ    注目領域
Ｓ１０〜Ｓ４４  表示制御方法の各ステップ
Ｓｂ      面積比率
ＳＳ      シャッタースピード
Ｘ        しきい値
ＺＬ      ズームレンズ
【図１】
2020003825.tif 000003
【図２】
2020003825.tif 000004
【図３】
2020003825.tif 000005
【図４】
2020003825.tif 000006
【図５】
2020003825.tif 000007
【図６】
2020003825.tif 000008
【図７】
2020003825.tif 000009
【図８】
2020003825.tif 000010
【図９】
2020003825.tif 000011
【図１０】
2020003825.tif 000012
【図１１】
2020003825.tif 000013
【図１２】
2020003825.tif 000014
【図１３】
2020003825.tif 000015
【図１４】
2020003825.tif 000016
【図１５】
2020003825.tif 000017
【図１６】
2020003825.tif 000018
【図１７】
2020003825.tif 000019
【図１８】
2020003825.tif 000020
【図１９】
2020003825.tif 000021